(57)【要約】【課題】スライド成形型を用いることなく、製造容易で、安価で十分な通気を確保することができるケーシングを備えたブラシレスモータを提供する。【解決手段】  モータホルダ２１と共にケーシング１を構成する基板カバー２２には、側面３３ａ〜３３ｄから底部２２ａへかけて、複数の通気口３２が適宜な間隔を隔てて設けられており、かかる通気口３２は、基板カバー２２の成形に用いられる二つの成形型の分離方向（図３において紙面上下方向）に沿って形成されるようになっているため、従来と異なり、簡素な成形型を用いて安価に、小さなスペースにも容易に設けることができるものとなっている。【選択図】図３
2005080439.tif 000002
【特許請求の範囲】
【請求項１】
ブラシレスモータの制御基板を収納保持すると共に、ロータを回転可能に支持するよう構成されてなるケーシングを具備してなるブラシレスモータにおいて、
前記ケーシングは、二つの形成型を用いて形成されてなり、当該形成型の抜き方向に沿う通気口が複数形成されてなることを特徴とするブラシレスモータ。
【請求項２】
ケーシングは、ロータが回転可能に支持されるモータホルダと、前記モータホルダの下面側に取着されて前記モータホルダとの間に制御基板の収納空間を形成する基板カバーとからなり、前記モータホルダと基板カバーの少なくともいずれか一方が、二つの形成型を用いて形成されてなるものであって、かつ、当該形成型の抜き方向に沿う通気口が複数形成されてなることを特徴とする請求項１記載のブラシレスモータ。
【請求項３】
基板カバーは、有底蓋体状に形成されてなり、通気口は、基板カバーの側面から底面を一部穿設するように形成されてなることを特徴とする請求項２記載のブラシレスモータ。
【請求項４】
基板カバーの４つの側面の各々に少なくとも一つの通気口が形成されてなることを特徴とする請求項３記載のブラシレスモータ。
【発明の詳細な説明】
【技術分野】
【０００１】
本発明は、ブラシレスモータに係り、特に、車両用空調装置の送風ファンの回転駆動に用いられるブラシレスモータにおける熱放散効率の向上等を図ったものに関する。
【背景技術】
【０００２】
従来、この種のブラシレスモータとしては、例えば、ブラシレスモータのステータが固着されたモータホルダを有し、このモータホルダに固着されたステータにロータが回転可能に支持されるよう設けられると共に、このモータホルダのステータが位置する面と反対側の面側に下部ケースが取り付けられて、モータホルダと下部ケースとの間に形成される空間に、ステータに巻装されたコイルへの通電制御を行う電子回路基板が収納されるよう構成されてなるものが公知・周知となっている（例えば、特許文献１参照）。
この従来のブラシレスモータにおいては、モータホルダの下面側に下部ケースが取り付けられて電子回路基板を収納する収納部が形成されており、下部ケースには、収納部と外部との通気による電子回路基板に設けられた電子部品の放熱向上のため、通気孔が複数形成されたものとなっている。
【０００３】
【特許文献１】特開平１１−３４６４５８号公報
【発明の開示】
【発明が解決しようとする課題】
【０００４】
しかしながら、上記従来例における通気孔は、押し出し工法におけるスライド型を用いて形成されるもので、しかも、下部ケースの３つの側面においてそれぞれ複数の通気孔を設けた構成であるため、３つの側面においてスライド型がそれぞれ必要とされるため、その製造コストは決して安くはなく、より安価で性能の良好なものが要求される現状にあっては、コストパフォーマンスが十分とは言えない。
また、コスト高であるスライド型を用いて形成するため、通気孔の開口面積は、さほどに大きくすることはできず、そのため、十分な通気が確保できないという問題があった。
【０００５】
本発明は、上記実状に鑑みてなされたもので、スライド成形型を用いることなく、製造容易で、安価で十分な通気を確保することができるケーシングを備えたブラシレスモータを提供するものである。
本発明の他の目的は、簡易で安価に十分な開口を有した通気口を形成できるケーシングを備えたブラシレスモータを提供することにある。
【課題を解決するための手段】
【０００６】
上記本発明の目的を達成するため、本発明に係るブラシレスモータは、
ブラシレスモータの制御基板を収納保持すると共に、ロータを回転可能に支持するよう構成されてなるケーシングを具備してなるブラシレスモータにおいて、
前記ケーシングは、二つの成形型を用いて形成されてなり、当該成形型の抜き方向に沿う通気口が複数形成されてなるものである。
かかる構成においては、ケーシングを２つの型で形成できるようにして、その型抜き方向に通気口が形成されるものとなっているので、従来と異なり、通気口形成のためケーシングの型が複雑になることがなく、簡易で安価に通気口を形成でき、十分な通気を確保することのできるブラシレスモータが提供されることとなるものである。
【発明の効果】
【０００７】
本発明によれば、通気口をケーシングを形成する際に用いられる成形型の抜き方向に形成されるようにしたことにより、従来と異なり、簡易で安価に通気口を形成でき、しかも、十分な通気を確保することのできるブラシレスモータが提供されるという効果を奏するものである。
また、通気口を安価、簡易に設けたブラシレスモータとすることで、電子部品の冷却性の向上がなされるので、電子部品の動作温度の低下による内部抵抗の低下を招き、それによってモータ自体の効率向上に寄与することができるという効果を奏するものである。
さらに、本発明によれば、従来と異なり、ケーシングの各々の側面に通気口を安価に、かつ、簡易に形成することができる。
またさらに、従来と異なり、通気口形成のための成形型の制限が殆どないので、通気口の開口を大きく設定することができる一方、ケーシングの側面の小さな面にも容易に通気口を形成することができる。
また、従来と異なり、成形型が簡素であるため、製造の際のサイクルタイムが従来に比して短くて済み、製品のさらなる低価格化に寄与することができる。
【発明を実施するための最良の形態】
【０００８】
以下、本発明の実施の形態について、図１乃至図８を参照しつつ説明する。
なお、以下に説明する部材、配置等は本発明を限定するものではなく、本発明の趣旨の範囲内で種々改変することができるものである。
最初に、本発明の実施の形態におけるブラシレスモータの全体構成について、図１及び図２を参照しつつ説明する。                        
本発明の実施の形態におけるブラシレスモータは、ケーシング１にその基部が固定されたステータ２と、このステータ２に回転自在に設けられた回転軸１２に固着されたロータ３と、ステータ２に巻装された励磁コイル７への通電制御を行う制御基板４とに大別されてなるものである（図１参照）。かかる構成を有してなるブラシレスモータは、例えば、車両用空調装置における送風ファン５の回転駆動に用いられるもので、送風ファン５は、回転軸１２の先端部１２ａにおいて固着されたものとなっている（図１参照）。
【０００９】
ステータ２は、積層コア６と、この積層コア６に巻回された励磁コイル７と、上部保持部材８ａ及び下部保持部材８ｂとを有してなり、ロータ３の内側に配設されたものとなっている。積層コア６は、その中央部に支持筒９が貫通されており、この支持筒９に積層コア６が例えば圧入、固定されたものとなっている。上部保持部材８ａ及び下部保持部材８ｂは、上述の支持筒９が嵌挿される中空円筒孔１０ａ，１０ｂがそれぞれ形成されてなり、これら中空円筒孔１０ａ，１０ｂを介して積層コア６の上部及び下部にそれぞれ設けられて積層コア６を上下から挟持するようにして保持するものとなっている（図１参照）。
下部保持部材８ｂは、図１においては図示されていないが、外方に張り出した部位を有し、この部位がモータホルダ２１に固定されるようになっており、この下部保持部材８ｂのモータホルダ２１への固定により、ロータ３及びステータ２がモータホルダ２１の上面に保持されるようになっている。
【００１０】
ロータ３は、大凡椀型に形成されたヨーク１１を有し、その開放面がケーシング１側に、閉成面が上面を形成するようにして、その閉成面の中央部に穿設された軸通孔１１ａに回転軸１２が挿通されて回転軸１２に固着されたものとなっている。そして、ヨーク１１の内周面には、複数のマグネット１３が周方向で適宜な間隔を隔てて固着されている。
また、回転軸１２は、軸受け１４ａ，１４ｂを介して支持筒９内に支持されており、その先端部１２ａには、シロッコ型の送風ファン５が例えば、圧入により固定されている（図１参照）。
【００１１】
ケーシング１は、モータホルダ２１と基板カバー２２とからなり、両者の間に収納空間２３が形成されて後述する制御基板４が収納されるようになっている。本発明の実施の形態においては、基板カバー２２がモータホルダ２１の裏面側、すなわち、換言すれば、ロータ３やステータ２が位置する側の面（表面）と反対側の面側でねじ止めされるようになっている（図１及び図２参照）。
モータホルダ２１の下面側においては、制御基板４がモータホルダ２１に突出形成された支持柱２４にねじ止めされてケーシング１内部に保持、収納されるようになっている。そして、先の回転軸１２の他端は、このケーシング１内部へ伸びており、制御基板４に穿設された貫通孔２５に臨むようになっている。この回転軸１２の他端近傍には、円盤状に形成されてなるセンサマグネット２６が固着されており、このセンサマグネット２６に対向する制御基板４の適宜な位置には、ホール素子２７が設けられて、センサマグネット２６の磁束変化を検出することで、回転軸１２の回転、すなわち、ロータ３の回転位置が検出可能となっている（図１参照）。
【００１２】
制御基板４は、外部から入力される制御信号に基づいて、励磁コイル７への通電を制御するよう複数の通電制御用のトランジスタ２８を主たる構成要素としてなる公知・周知の構成を有する回路が設けられているものである。この制御基板４において、通電制御用の複数のトランジスタ２８は、制御基板４の一側端近傍において半田付けされると共に、ヒートシンク３１にねじ止めされている（図１参照）。また、制御基板４には、外部との電気信号の授受のためにコネクタ２９が取着されている（図２参照）。
【００１３】
本発明の実施の形態における基板カバー２２には、収納空間２３と外部との通気を図り、制御基板４の電子部品の冷却を促進するため、複数の通気口３２が次述するように複数穿設されたものとなっている（図３参照）。以下、図４乃至図７を参照すると共に、適宜図１及び図２も参照しつつ基板カバー２２に形成された通気口３２について詳述する。
まず、本発明の実施の形態における基板カバー２２の平面外形形状は、一辺部分が弧状に形成された部位がある点を除けば凡矩形に形成されてなり、かつ、底浅の有底蓋体状に形成されてなるものである（図１及び図２参照）。
しかして、本発明の実施の形態における基板カバー２２は、第１乃至第４の側面３３ａ〜３３ｄを有したものとなっており、その内、第１及び第２の側面３３ａ，３３ｂにおいては、ほぼ開口面の位置付近から脇へ、取付部３４ａ，３４ｂが突出形成されており、この取付部３４ａ，３４ｂの各々の両端部においてモータホルダ２１にねじ止めされるようになっている。
【００１４】
また、第１乃至第４の側面３３ａ〜３３ｄには、複数の通気口３２が穿設されたものとなっている（図２、図４乃至図７参照）。この通気口３２は、基板カバー２２の開口側、すなわち、換言すれば、モータホルダ２１に取着される部位側の位置から底部２２ａ側へ若干下がった位置にその一方の端部が位置するようにし、底部２２ａの一部を切り欠くようにして、前述の一方の端部から底部へかけて穿設されたものとなっており、第１乃至第４の側面３３ａ〜３３ｄ側に現れる形状は、ほぼ短冊状となっている（図２，図４乃至図７参照）。
【００１５】
かかる基板カバー２２は、例えば、ダイキャスト製法によって、上下（例えば、図４において紙面上下方向）に分離可能な二つの成形型３５ａ，３５ｂを用いて形成されるものである（図４参照）。すなわち、本発明の実施の形態における基板カバー２２は、ダイキャスト製法による型抜き方向が、基板カバー２２の上下方向（図４において紙面上下方向）、換言すれば、底部２２ａに対して垂直方向となっている。したがって、上述の通気口３２も、ダイキャスト製法による型抜き方向に形成されるようになっているものである。
【００１６】
このように、本発明の実施の形態における通気口３２は、型抜き方向に沿って形成されるものとなっているため、形成スペースの小さな部位においても従来と異なり容易に形成できるものである。具体的には、例えば、本発明の実施の形態における基板カバー２２の第２の側面３３ｂにおいては、その中央部分よりやや片側（図５においては紙面左側）に片寄ってコネクタ２９が嵌合されるコネクタ保護部３６が取付部３４ｂと共に突出形成されており（図２及び図５参照）、そのため、図５においてこのコネクタ保護部３６の左側の部位は、従来のスライド成形型を用いる手法においては、型の複雑化を招く等から通気口を形成するには困難なスペースであるが、本発明の実施の形態においては、極限られたスペースであるが図５に示されたように２つの通気口３２が形成されたものとなっている。
【００１７】
また、第１の側面３３ａの部位イ，ロ及び第２の側面３３ｂの部位ハにおいても、上述したと同様に従来であれば通気口３２を形成するスペースとしては十分ではないが、本発明の実施の形態においては極狭いスペースにも関わらず通気口３２が形成されたものとなっている。すなわち、この部位イ，ロ，ハには、それぞれの側面３３ａ，３３bから脇へ取付部３４ａ，３４ｂと一体となって仕切片３７ａ，３７ｂ，３７ｃが突出形成されたものとなっているために、部位イ，ロ，ハにおける平面的なスペースは極小さいものとなっているが（図２、図４及び図５参照）、上述のように通気口３２が設けられたものとなっている。
【００１８】
さらに、スライド成形型を用いて通気口を形成する従来品にあっては、無理の無い通気口の形成、加工という観点からすれば、通気口が形成される面は、本発明の実施の形態における基板カバー２２の側面に相当する部分で精々２面であるところ、本発明の実施の形態においては、既に説明したように第１乃至第４の側面３３ａ〜３３ｄの４面のそれぞれに通気口３２を容易に設けることができるものとなっている。
【００１９】
次に、通気口３２の他の実施例について、図８を参照しつつ説明する。
上述した通気口３２の図面に表された幅（図４において紙面左右方向）や、長さ、すなわち、図４において紙面上下方向に現れる長さ及び図２において例えば紙面上下方向に現れる長さは、あくまでも一例であり、以下に例を挙げるように種々の幅、長さに設定されるべきものである。
例えば、図８の符号Ａが付された二点鎖線円で囲まれた通気口３２Ａは、上述した通気口３２と比較して、その長さが長く、特に、基板カバー２２の底部２２ａにおける長さが長く設定された例である。
また、図８において、符号Ｂが付された二点鎖線円で囲まれた通気口３２Ｂは、  上述した通気口３２と比較して、幅（図８において紙面左右方向）を広くした例である。
さらに、図８において、符号Ｃが付された二点鎖線円で囲まれた通気口３２Ｃは、上述した通気口３２と比較して、その長さと幅の双方を大きくした例である。
なお、本発明の実施の形態においては、基板カバー２２に通気口３２が設けられた例を示したが、モータホルダ２１側に同様に形成しても勿論良いものである。
【図面の簡単な説明】
【００２０】
【図１】本発明の実施の形態におけるブラシレスモータの構成例を示す縦断面図である。
【図２】本発明の実施の形態におけるブラシレスモータの底面図である。
【図３】本発明の実施の形態におけるブラシレスモータの側面図であって、送風ファンが取り付けられていない状態における側面図である。
【図４】本発明の実施の形態におけるブラシレスモータの基板カバーの第１の側面側における側面図である。
【図５】本発明の実施の形態におけるブラシレスモータの基板カバーの第２の側面側における側面図である。
【図６】本発明の実施の形態におけるブラシレスモータの基板カバーの第３の側面側における側面図である。
【図７】本発明の実施の形態におけるブラシレスモータの基板カバーの第４の側面側における側面図
【図８】本発明の実施の形態におけるブラシレスモータの基板カバーに設けられる通気口の他の実施例を示す平面図である。
【符号の説明】
【００２１】
１…ケーシング
４…制御基板
２１…モータホルダ
２２…基板カバー
３１…ヒートシンク
３２…通気口
３３ａ…第１の側面
３３ｂ…第２の側面
３３ｃ…第３の側面
３３ｄ…第４の側面
【図１】
2005080439.tif 000003
【図２】
2005080439.tif 000004
【図３】
2005080439.tif 000005
【図４】
2005080439.tif 000006
【図５】
2005080439.tif 000007
【図６】
2005080439.tif 000008
【図７】
2005080439.tif 000009
【図８】
2005080439.tif 000010